(57)【要約】  【課題】  大型化および製造コストが増大するのを防止しつつ、最適なシェーディング補正を行うことができるようにして、原稿を良好に読取ることができる画像読取装置および画像形成装置を提供すること。  【解決手段】  白基準板５２が設けられたコンタクトガラス１４の一端部に黒色マイラー７１を設け、この黒色マイラー７１を、第１のキャリッジおよび第２のキャリッジの副走査方向と垂直をなす方向のコンタクトガラス１４の少なくとも一稜線にある面取り部１４ａに設置する。【選択図】  図４
2006203621.tif 000002
【特許請求の範囲】
【請求項１】
コンタクトガラス上に載置された原稿を露光する光源と、
前記光源および原稿からの反射光を折り返して光学レンズに導く反射ミラーを保持し、前記コンタクトガラスに対して所定の走査方向に移動可能な保持手段と、
前記光学レンズによって結像された画像を光電変換して原稿の画像を読取る撮像手段と、
前記原稿が接触するコンタクトガラス面の一端側に設けられ、前記撮像手段のシェーディング補正を行う白基準板とを備えた画像読取装置において、
前記白基準板が設けられた前記コンタクトガラスの一端部に遮光手段を設け、
前記遮光手段は、前記保持手段の走査方向と垂直をなす方向の前記コンタクトガラスの少なくとも一稜線にある面取り部に設置されることを特徴とする画像読取装置。
【請求項２】
前記遮光手段は、透過率３０％〜７０％に設定されることを特徴とする請求項１に記載の画像読取装置。
【請求項３】
前記コンタクトガラスの少なくとも一稜線にある面取り部にすりガラス処理が施されていることを特徴とする請求項１または請求項２に記載の画像読取装置。
【請求項４】
コンタクトガラス上に載置された原稿を露光する光源と、
前記光源および原稿からの反射光を折り返して光学レンズに導く反射ミラーを保持し、前記コンタクトガラスに対して所定の走査方向に移動可能な保持手段と、
前記光学レンズによって結像された画像を光電変換して原稿の画像を読取る撮像手段と、
前記原稿が接触するコンタクトガラス面の一端側に設けられ、前記撮像手段のシェーディング補正を行う白基準板とを備えた画像読取装置において、
前記保持手段の走査方向と垂直をなす方向の前記コンタクトガラスの少なくとも一稜線に面取り部に設け、
前記面取り部は、前記コンタクトガラスの内側に向かって略円弧状に凹んでいることを特徴とする画像読取装置。
【請求項５】
コンタクトガラス上に載置された原稿を露光する光源と、
前記光源および原稿からの反射光を折り返して光学レンズに導く反射ミラーを保持し、前記コンタクトガラスに対して所定の走査方向に移動可能な保持手段と、
前記光学レンズによって結像された画像を光電変換して原稿の画像を読取る撮像手段と、
前記原稿が接触するコンタクトガラス面の一端側に設けられ、前記撮像手段のシェーディング補正を行う白基準板とを備えた画像読取装置において、
前記保持手段の走査方向と垂直をなす方向の前記コンタクトガラスの少なくとも一稜線に面取り部に設け、
前記面取り部は、前記コンタクトガラスの外側に向かって略円弧状に突出し、前記コンタクトガラスの一端部および前記白基準板の前記コンタクトガラス側端部との距離をＳ、前記コンタクトガラスの板厚をｔとしたときに、前記円弧状の面取り部の曲率中心（ｘ，ｙ）は、（ｘ，ｙ）＜（Ｓ／２，ｔ／２）になることを特徴とする請求項１〜請求項３の何れか１項に記載の画像読取装置。
【請求項６】
請求項１〜請求項５の何れか１項に記載の画像読取装置を搭載するとともに、記録媒体に画像を形成する画像形成手段を備えたことを特徴とする画像形成装置。
【発明の詳細な説明】
【技術分野】
【０００１】
本発明は、画像読取装置および画像形成装置に関し、例えば、複写機、ファクシミリ装置、スキャナ装置等のコンタクトガラス上に載置された原稿を移動光学系により読取る画像読取装置およびその画像読取装置を搭載した画像形成装置に関する。
【背景技術】
【０００２】
複写機、ファクシミリ装置、スキャナ装置等の画像読取装置の小型化に伴い、画像読取装置の構成部品の小型、高精度が要求され、無駄なスペースや余裕をもった部品配置が困難な状況となっている。
【０００３】
従来のこの種の画像読取装置としては、例えば、図７に示すようなものが知られている。図７において、原稿を載置するコンタクトガラス１の下方には、原稿を照明するための光源２および破線で示す部分に反射面を備えた反射部材３が設けられており、光源２から照射される光の一部は反射部材３で反射されて光源２の光と共に原稿に照射される。
【０００４】
これらの光により原稿に照射された光は、反射ミラー４および図示しない反射ミラーにより折り返されて図示しない光学レンズに導かれるようになっており、光学レンズに結像された画像は図示しないＣＣＤ等のイメージセンサによって光電変換されて読取られる。
【０００５】
また、光源２、反射部材３および反射ミラー４はキャリッジ５に搭載されて原稿の副走査方向に移動するようになっており、このキャリッジ５はコンタクトガラス１の一端部から他端部までの間で移動するようになっている。
【０００６】
また、コンタクトガラス１の一端部には原稿の端面を揃えるための原稿スケール６が設けられており、この原稿スケール６は固定用ネジ７によって原稿スケール固定用ブラケット８に固定されている。
【０００７】
また、コンタクトガラス１の一端側には白基準板９が設けられており、この白基準板９は原稿スケール６の背面で、かつコンタクトガラス１の上面（原稿載置面と略同一面）に設置され、シェーディング補正を行う際に用いられる。
【０００８】
具体的には、イメージセンサの各画素毎の感度むらや光学レンズにおける透過光量のばらつき、照明・光学系の照度むら、主走査方向の光量分布および劣化等の要因により、均一な反射特性を有する基準板を読取ったときの各画素に対する受光素子からの出力が必ずしも一定かつ、均一な値とはならない。
【０００９】
このため、これらを補正するシェーディング補正が行われる。このシェーディング補正は、コンタクトガラス１の一端部側に配置された白基準板９を実際の原稿の読取りに先立って読取り、各画素のシェーディング補正用の白データとして白レベル基準データを取得する。そして、この取得した白基準データに基づいてシェーディング補正データを生成し、この補正データにより読取った原稿画像データに対して補正演算を行い、読取データを正規化するようにしている（例えば、特許文献１参照）。
【００１０】
また、一般的に、コンタクトガラス１は組付時に稜線および端部に何等かの接触があったり、輸送時に衝撃が掛かったりしてカケが発生し易いため、図８に示すように面取り（面取り部１ａで示す）が施されている。
【００１１】
【特許文献１】特開平９−１４９２９９号公報
【発明の開示】
【発明が解決しようとする課題】
【００１２】
しかしながら、このような従来の画像読取装置にあっては、コンタクトガラス１の面取り部１ａを通して白基準板９を読取ったときと、面取り部１ａを除いた部分のコンタクトガラス１を通して白基準板９を読取ったときの光量変化が大きいので、原稿の画像を良好に読取るために改善の余地がある。
【００１３】
具体的には、反射部材３からの反射光は図８、図９に示すような状況で白基準板９を照射するようになっている。図８は、反射部材３からの反射光がコンタクトガラス１の一端側の面取り部１ａを通過して白基準板９に照射されている状態を示しており、２点鎖線が光の状態の一部を表している。また、図９は、反射部材３からの反射光が面取り部１ａを通過しないで白基準板９に照射されている状態を示しており、２点鎖線が光の状態の一部を表している。
【００１４】
図１０は、コンタクトガラス１を通して白基準板に照射される光量の分布を示す図であり、実線ａが図８に示すように面取り部１ａを通過したときの光量分布、破線ｂが図９に示すように面取り部１ａを通過していないときの光量分布を示している。
【００１５】
この状況をふまえて、白基準板９の読取時のイメージセンサの出力を図１１に示す。図１１において、白基準板９の位置に対応したイメージセンサからの出力は、白基準板９の端部から右側の所定距離の部分（Ａで示す部分）が他の部分と比較して若干高くなっている。この部分が反射部材３からの光が面取り部１ａを通過しているときのイメージセンサの出力であり、面取り部１ａにより光量が変化したことによるものである。
【００１６】
シェーディング補正は、図８中の２点鎖線で示した有効範囲内全域の白基準板を読取り平均化されるため白基準板９の読み値は平坦である必要があり、上述の面取りによる光量変化により出力変化を起こした場合、正確なシェーディング補正を行うことができなくなってしまう。
このような場合に出力画像としては濃度むら、原稿との色味違い、原稿との濃淡違いといった不具合が発生する。
【００１７】
この不具合の対策として、コンタクトガラス１の面取り部１ａから白基準板９の配置位置を面取りの影響がなくなるまで遠ざけたり、反射部材３が面取り部１ａを通過後に光源２の点灯を行うものがあるが、何れの場合にあっても、その分だけ画像形成装置が大型化したり、重量が重くなり、結果的に画像形成装置の製造コストが増大してしまう。
【００１８】
また、コンタクトガラス１の面取り部１ａを無くせば、上述の不具合は改善されるが、このようにした場合には、コンタクトガラス１の良品の歩留まりが悪化してしまい、画像読取装置の製造コストが増大してしまう。
【００１９】
特に、Ａ３サイズの原稿を読取れる画像読取装置ではＡ３サイズ以上のコンタクトガラス１が必要になるため、かなり高価なものとなってしまう。さらに、画像形成装置の製造工程でコンタクトガラス１に何等かの理由で物体等が接触した場合には、ガラスカケが発生してしまうので、製造コストの増大に繋がってしまう。
【００２０】
本発明はこのような問題を解決するためになされたもので、大型化および製造コストが増大するのを防止しつつ、最適なシェーディング補正を行うことができるようにして、原稿を良好に読取ることができる画像読取装置および画像形成装置を提供するものである。
【課題を解決するための手段】
【００２１】
本発明の画像読取装置は、コンタクトガラス上に載置された原稿を露光する光源と、前記光源および原稿からの反射光を折り返して光学レンズに導く反射ミラーを保持し、前記コンタクトガラスに対して所定の走査方向に移動可能な保持手段と、前記光学レンズによって結像された画像を光電変換して原稿の画像を読取る撮像手段と、前記原稿が接触するコンタクトガラス面の一端側に設けられ、前記撮像手段のシェーディング補正を行う白基準板とを備えた画像読取装置において、前記白基準板が設けられた前記コンタクトガラスの一端部に遮光手段を設け、前記遮光手段は、前記保持手段の走査方向と垂直をなす方向の前記コンタクトガラスの少なくとも一稜線にある面取り部に設置されるものから構成されている。
【００２２】
この構成により、保持手段の走査方向と垂直をなす方向のコンタクトガラスの少なくとも一稜線にある面取り部に遮光手段を設置したので、面取り部を通過する光源からの光量を減少させて、白基準板の端部側を読取ったときに明るくなるのを防止して良好なシェーディング補正を行うことができる。この結果、画像読取装置の大型化および製造コストが増大するのを防止しつつ、原稿を良好に読取ることができる。
【００２３】
また、本発明の画像読取装置の前記遮光手段は、透過率３０％〜７０％に設定されるものから構成されている。
この構成により、面取り部の大きさのばらつきや遮光手段の貼付けのばらつきによって必要な光が遮られすぎてしまうのを防止して、白基準板の端部側を読取ったときに最適な光量で読取ることができ、より一層良好なシェーディング補正を行うことができる。
【００２４】
また、本発明の画像読取装置は、前記コンタクトガラスの少なくとも一稜線にある面取り部にすりガラス処理が施されているものから構成されている。
この構成により、コンタクトガラスの製造工程中に面取り部にすりガラス処理を行うことにより、遮蔽手段をコンタクトガラスに取付けるときのばらつき（例えば、遮蔽手段を黒油性マジックとした場合のマジックの塗りむら、遮蔽手段をマイラーとした場合のマイラーの貼付け不良等）や汚れを防止することができ、より一層良好なシェーディング補正を行うことができる。
【００２５】
また、本発明の画像読取装置は、コンタクトガラス上に載置された原稿を露光する光源と、前記光源および原稿からの反射光を折り返して光学レンズに導く反射ミラーを保持し、前記コンタクトガラスに対して所定の走査方向に移動可能な保持手段と、前記光学レンズによって結像された画像を光電変換して原稿の画像を読取る撮像手段と、前記原稿が接触するコンタクトガラス面の一端側に設けられ、前記撮像手段のシェーディング補正を行う白基準板とを備えた画像読取装置において、前記保持手段の走査方向と垂直をなす方向の前記コンタクトガラスの少なくとも一稜線に面取り部に設け、前記面取り部は、前記コンタクトガラスの内側に向かって略円弧状に凹んでいるものから構成されている。
【００２６】
この構成により、面取り部を通過した光が放射状に広がり、白基準板の端部側を読取ったときに光量が増大してしまうのを防止して良好なシェーディング補正を行うことができる。この結果、画像読取装置の大型化および製造コストが増大するのを防止しつつ、原稿を良好に読取ることができる。
【００２７】
また、本発明の画像読取装置は、コンタクトガラス上に載置された原稿を露光する光源と、前記光源および原稿からの反射光を折り返して光学レンズに導く反射ミラーを保持し、前記コンタクトガラスに対して所定の走査方向に移動可能な保持手段と、前記光学レンズによって結像された画像を光電変換して原稿の画像を読取る撮像手段と、前記原稿が接触するコンタクトガラス面の一端側に設けられ、前記撮像手段のシェーディング補正を行う白基準板とを備えた画像読取装置において、前記保持手段の走査方向と垂直をなす方向の前記コンタクトガラスの少なくとも一稜線に面取り部に設け、前記面取り部は、前記コンタクトガラスの外側に向かって略円弧状に突出し、前記コンタクトガラスの一端部および前記白基準板の前記コンタクトガラス側端部との距離をＳ、前記コンタクトガラスの板厚をｔとしたときに、前記円弧状の面取り部の曲率中心（ｘ，ｙ）は、（ｘ，ｙ）＜（Ｓ／２，ｔ／２）になるものから構成されている。
【００２８】
この構成により、面取り部を通った光が白基準板付近で集光させずに拡散させることができるので、白基準板の端部側を読取ったときに光量が増大してしまうのを防止して良好なシェーディング補正を行うことができる。この結果、画像読取装置の大型化および製造コストが増大するのを防止しつつ、原稿を良好に読取ることができる。
【００２９】
また、本発明の画像形成装置は、上述した画像読取装置を搭載するとともに、記録媒体に画像を形成する画像形成手段を備えたものから構成されている。
この構成により、大型化および製造コストが増大するのを防止しつつ、最適なシェーディング補正を行うことができるようにして、原稿を良好に読取ることができ、良好な画像を形成することができる。
【発明の効果】
【００３０】
以上説明したように、本発明は、大型化および製造コストが増大するのを防止しつつ、最適なシェーディング補正を行うことができるようにして、原稿を良好に読取ることができる画像読取装置および画像形成装置を提供することができる。
【発明を実施するための最良の形態】
【００３１】
以下、本発明の実施の形態について、図面を用いて説明する。
図１〜図４は本発明に係る画像読取装置および画像形成装置の第１の実施の形態を示す図である。なお、本発明は、画像読取装置として、スキャナ装置、ファクシミリ装置等に適用可能であり、画像形成装置として、複写機、レーザプリンタ、マルチファンクションプリンタ、インクジェットプリンタ、印刷機等に適用可能である。本実施の形態では、画像形成装置として複写機を例に説明を行う。
【００３２】
まず、構成を説明する。図１において、画像形成装置としての複写機１０は、画像読取装置１１と、レーザビーム走査装置を有するプリンタ部１２と、自動原稿送装置１３とから構成されている。
【００３３】
ここで、自動原稿送装置１３は、セットされた原稿を１枚ずつ搬送してコンタクトガラス１４上にセットし、複写終了後のコンタクトガラス１４上の原稿を排出するようになっている。 
【００３４】
原稿読取装置１１は、図２にも示すように、照明ランプ１５、反射鏡１６からなる光源および第１ミラー１７を装備した第１のキャリッジ６１と、第２ミラー１８および第３ミラー１９を装備した第２のキャリッジ６２とを備えている。本実施の形態では、第１のキャリッジ６１および第２のキャリッジ６２が保持手段を構成している。
【００３５】
また、この原稿読取装置１１は、第２のキャリッジ６２から送られてくる反射光像をフィルタリングする色フィルタ２０と、この色フィルタ２０を通過した反射光像を結像させる光学レンズ２１と、この光学レンズ２１で結像された反射光像をアナログ画像信号に変換するＣＣＤセンサ（撮像手段）２２と、アナログ／デジタル変換器やこのアナログ／デジタル変換器で変換されたデジタル画像信号を画像処理する画像処理回路を搭載した回路基板２３と、照明ランプ１５を冷却する冷却ファン２４とを具備している。 
【００３６】
この原稿読取装置１１にあっては、原稿読取時には、第１のキャリッジ６１が一定の速度で副走査方向（所定の方向）に往動するとともに、第２のキャリッジ６２が第１のキャリッジ６１の１／２の速度で第１のキャリッジ６１に追従して副走査方向に往動することによりコンタクトガラス１４上の原稿が光学的に走査され、コンタクトガラス１４上の原稿が照明ランプ１５および反射鏡１６により照明されて、その反射光像が第１ミラー１７、第２ミラー１８、第３ミラー１９、色フィルタ２０を介してレンズ２１によりＣＣＤセンサ２２上に結像されるようになっている。
【００３７】
また、ＣＣＤセンサ２２は、結像された原稿の反射光像を光電変換してアナログ画像信号を出力し、回路基板２３において、デジタル画像信号に変換されて画像処理が行われるようになっている。
【００３８】
また、画像の読取り終了後には、第１のキャリッジ６１と第２のキャリッジ６２はホームポジションＨＰ位置に復動する。なお、ＣＣＤセンサ２２としては、レッド（Ｒ）、グリーン（Ｇ）、ブルー（Ｂ）のフィルタを備えた３ラインのＣＣＤを用いることにより、カラー原稿を読取るようにすることもできる。
また、プリンタ部１２は、静電像が形成される感光体ドラム２５と、この感光体ドラム２５を均一に帯電させる帯電装置２６と、前記感光体ドラム２５に静電像を形成させるレーザビーム走査装置２７と、前記感光体ドラム２５に形成された静電像の現像を行う現像装置２８と、前記感光体ドラム２５に形成された顕像を図示しない転写紙（記録媒体）に転写する転写装置３０と、転写紙を前記感光体ドラム２５から分離させる分離装置３１と、前記感光体ドラム２５に残った現像剤を拭き取るクリーニング装置３２と、給紙装置３３〜３５と、レジストローラ３６と、転写紙を運ぶ搬送装置３７と、転写紙に転写された顕像を定着させる定着装置３８と、コピーを載置するトレイ３９とを備えている。 
【００３９】
本実施の形態では、感光体ドラム２５、帯電装置２６、レーザビーム走査装置２７、現像装置２８、転写装置３０および定着装置３８が画像形成手段を構成している。
【００４０】
レーザビーム走査装置２７は、複写機１０の筐体の側面に固定された図示しない半導体レーザユニットと、この半導体レーザユニットの出力側の所定の位置に設けた図示しないシリンドリカルレンズと、この筐体の一端側中央に設けたポリゴンミラー４２と、このポリゴンミラー４２を回転させるポリゴンモータ４３と、その筐体のほぼ中央位置よりややポリゴンミラー４２側に設けたｆθレンズ４４と、その筐体の他端側に設けた反射鏡４５と、その筐体の反射鏡４５の下部に設けた防塵ガラス４６等から構成されている。 
【００４１】
また、コンタクトガラス１４の一端側にはコンタクトガラス１４上で原稿の一端を揃える原稿スケール５１が設けられており、この原稿スケール５１の裏面の一部にはＣＣＤセンサ２２の面上の照度およびＣＣＤセンサ２２の各画素の出力ばらつきを補正（シェーディング補正）する白基準板５２が設けられ（図３参照）、この白基準板５２はコンタクトガラス１４の一端側の上面（原稿面とほぼ同一面）位置５４に設けられている。なお、読取りを開始するときには、第１のキャリッジ６１および第２のキャリッジ６２は上述したＨＰ位置で停止している。
【００４２】
そして、コンタクトガラス１４上に載置される原稿の読取りに先だって、ＨＰから所定の距離を経過したことを判定し、白基準板５２の一定幅をＣＣＤセンサ２２でもって読取る。
【００４３】
このようにしてＣＣＤセンサ２２で読取ることにより得たアナログ画像信号を回路基板２３上の画像処理回路に与えてシェーディング補正を行っている。このシェーディング補正は白基準板５２の有効範囲内全域（数十から数百ライン）を読取り、そのデータを平均化し補正用のデータとするものである。
【００４４】
図３（ａ）に示すように、コンタクトガラス１４は、Ａ３サイズを読取ることが可能な大きさの面積を有しており、第１のキャリッジ６１および第２のキャリッジ６２の副走査方向は矢印Ｂ方向である。
【００４５】
図３（ｂ）は、第１のキャリッジ６１および第２のキャリッジ６２の副走査方向と垂直をなす方向のコンタクトガラス１４の断面を示し、図３（ａ）の矢視断面Ａ−Ａ図である。但し、図３（ａ）では原稿スケール５１を省略している。
【００４６】
本実施の形態では、図３、図４に示すように第１のキャリッジ６１および第２のキャリッジ６２の副走査方向と垂直をなす方向のコンタクトガラス１４の一稜線にある面取り部１４ａおよび面取り部１４ａに連続するとともに第１のキャリッジ６１および第２のキャリッジ６２の副走査方向と垂直な側面部１４ｂに黒色マイラー（遮光手段）７１が貼付されている。
この黒色マイラー７１は表面につや消し処理等が施された透過率約１５％の部材から構成されており、コンタクトガラス１４の面取り角とほぼ同角の曲げが施されている。
【００４７】
また、黒色マイラー７１の裏面部には一点鎖線で示すように両面テープ７２が貼り付けられており、黒色マイラー７１は両面テープ７２によってコンタクトガラス１４の面取り部１４ａに添付されることにより、コンタクトガラス１４の一端部が遮光されるようになっている。なお、図３は黒色マイラー７１をコンタクトガラス１４の面取り部１４ａに貼付する直前の状態を示している。
【００４８】
次に、複写機１０の全体的動作を説明する。
原稿読取り時には、まず、セットされた原稿が自動原稿送装置１３により１枚抜き取られて搬送されてコンタクトガラス１４上に配置される。その後、第１のキャリッジ６１が一定の速度で往動するとともに、第２のキャリッジ６２が第１のキャリッジ６１の１／２の速度で第１のキャリッジ６１に追従して往動する。このため、コンタクトガラス１４上の原稿が光学的に走査される。
【００４９】
次いで、コンタクトガラス１４上の原稿が光源等により照明されて、その反射光像が第１ミラー１７、第２ミラー１８、第３ミラー１９を介して光学レンズ２１に導かれ、この光学レンズ２１によりＣＣＤセンサ２２上に結像される。このＣＣＤセンサ２２は、結像された原稿の反射光像を光電変換してアナログ画像信号とし、原稿の読取りが行われる。
【００５０】
そして、原稿の読取り終了後に、第１のキャリッジ６１と第２のキャリッジ６２はホームポジションＨＰ位置に復動する。また、複写終了後には、コンタクトガラス１４上の原稿は自動原稿送装置１３により排出されるとともに、セットされている次の原稿が自動原稿送装置１３により１枚抜き取られて搬送されてコンタクトガラス１４上に配置される。このようにして原稿の読取りが次々と行われる。
【００５１】
なお、ＣＣＤセンサ２２から出力されたアナログ画像信号は、回路基板２３に搭載されたアナログ／デジタル変換器によりデジタル画像信号に変換され、回路基板２３に搭載された画像処理回路により、種々の画像処理（２値化、多値化、階調処理、変倍処理、編集処理など）が施される。 
【００５２】
次に、複写機１０の原稿複写動作について説明する。複写動作時には、デジタル複写機のプリンタ部１２では、感光体ドラム２５が駆動部で回転駆動されることにより帯電装置２６でもって均一に帯電される。
【００５３】
また、回路基板２３に搭載された画像処理回路により画像処理が施されたデジタル画像信号は、レーザビーム走査装置２７により感光体ドラム２５上で静電像とされる。このレーザビーム走査装置２７の動作について説明すると、半導体レーザユニット４０内の半導体レーザより発せられたレーザビームが半導体レーザユニット４０内のコリメートレンズにより平行な光束に変えられ、半導体レーザユニット４０に備えられたアパーチャを通過することで一定形状の光束に整形される。
【００５４】
この光束はシリンドリカルレンズにより副走査方向に圧縮されてポリゴンミラー４２上に入射する。なお、ポリゴンミラー４２は正確な多角形をしており、ポリゴンモータ４３により一定の方向へ一定の速度で回転駆動される。ポリゴンミラー４２の回転速度は感光体ドラム２５の回転速度と、レーザビーム走査装置２７の書込み密度とポリゴンミラー４２の面数により決定される。シリンドリカルレンズからポリゴンミラー４２に入射されたレーザビームはポリゴンミラーの反射面により偏向されてｆθレンズ４４に入射する。ｆθレンズ４４は、ポリゴンミラー４２からの角速度一定の走査光を感光体ドラム２５で等速度で走査されるように変換し、ｆθレンズ４４からのレーザビームが反射鏡４５および防塵ガラス４６を介して感光体ドラム２５上に結像される。また、ｆθレンズ４４は面倒れ補正機能も有している。 
【００５５】
さらに、ｆθレンズ４４を通過したレーザビームは、画像領域外で同期検知ミラーにより反射されて同期検知センサに導かれる。そして、同期検知センサの検知出力により主走査方向の頭出しの基準となる同期信号が得られる。このようにして感光体ドラム２５の上には、レーザビーム走査装置２７により静電像が形成されることになる。 
【００５６】
そして、感光体ドラム２５上の静電像は、転写装置３０により転写紙に転写される。その後、転写紙は、分離装置３１で感光体ドラム２５から分離された後、搬送装置３７で現像装置３８まで搬送される。この転写紙は、現像装置３８により現像されてコピーとしてトレイ３９上に排出される。また、感光体ドラム２５は転写紙分離後クリーニング装置３２によりクリーニングされて残留トナーが除去される。このような作業を介して複写機１０は、コピーを作成している。 
【００５７】
一方、自動原稿送装置１３によって原稿が１枚ずつ搬送される毎に、第１のキャリッジ６１をＨＰ位置から副走査方向に移動させることにより、ＣＣＤセンサ２２によって白基準板５２の有効範囲内を読取り、シェーディング補正を行う。
【００５８】
本実施の形態では、第１のキャリッジ６１および第２のキャリッジ６２の副走査方向と垂直をなす方向のコンタクトガラス１４の一稜線にある面取り部１４ａにおよび側面部１４ｂに透過率１５％の黒色マイラー７１を取付けたので、面取り部１４を通過する反射鏡１６からの光量を約１５％減少させて、白基準板５２の端部側（図４の範囲Ｂ）を読取ったときに明るくなるのを防止して良好なシェーディング補正を行うことができ、画像読取装置１１の大型化および製造コストが増大するのを防止しつつ、原稿を良好に読取ることができる。この結果、複写機１０の大型化および製造コストが増大するのを防止しつつ、転写紙に良好な画像を形成することができる。
【００５９】
なお、本実施の形態では黒色マイラー７１の透過率を１５％に設定しているが、このようにした場合には、面取り部１４ａの大きさのばらつき、黒色マイラー７１の大きさ、貼付けのばらつきによって必要な光が遮られすぎてしまい、図４の破線で示すように、面取り部１４ａを通して白基準板５２の端部側（図４の範囲Ｂ）を読取ったときに暗くなる出力分布となってしまう場合が発生する。
【００６０】
このため、上述したばらつきを考慮して黒色マイラー７１の遮光量を透過率３０％〜７０％とすることにより、白基準板５２の読取範囲Ｂが明るくなる、暗くなるといった問題を解消するようにしても良い。
【００６１】
さらに、黒色マイラー７１を貼り付けた場合には、黒色マイラー７１の部品費、貼付け代がかかってしまうため、黒色マイラー７１に代えて、例えば、黒油性マジックのようなものを面取り部１４ａに塗っても良い。このようにすれば、黒色マイラー７１が不要な分だけ複写機１０の製造コストを低減することができる。
【００６２】
また、コンタクトガラス１４の製造工程において、面取り部１４ａをマスキング、サンドブラスト等によってすりガラス処理しても良い。このようにすれば、マジック塗り工程時に発生する汚れ、塗りむらといった作業のばらつきを抑えることができる。
【００６３】
但し、すりガラス処理の場合は、その処理を行う工程が複雑（マスキング、サンドブラスト等）になってコストの増大に繋がるので、これを解消するために、コンタクトガラス１４の面取り時に行うガラス研削の砥粒を粗くする等により、面取り部１４ａ表面を粗く、ざらざらにすれば良い。
なお、本実施の形態では、第１のキャリッジ６１および第２のキャリッジ６２の副走査方向と垂直をなす方向のコンタクトガラス１４の一稜線にある面取り部１４ａおよび面取り部１４ａに連続するとともに第１のキャリッジ６１および第２のキャリッジ６２の副走査方向と垂直な側面部１４ｂに黒色マイラー（遮光手段）７１を貼付しているが、黒色マイラー７１は第１のキャリッジ６１および第２のキャリッジ６２の副走査方向と垂直をなす方向のコンタクトガラス１４の一稜線にある面取り部１４ａのみに設けられていても良い。
【００６４】
図５は本発明に係る画像読取装置および画像形成装置の第２の実施の形態を示す図であり、第１の実施の形態と同様の構成には同一番号を付して説明を省略する。なお、本実施の形態では、コンタクトガラスの面取り部の形状が第１の実施の形態と異なるのみでその他の構成は同一である。
図５において、コンタクトガラス１４の一端側には面取り部１４ｃが形成されており、この面取り部１４ｃはコンタクトガラス１４の内側に向かって略円弧状に凹んでいる。
【００６５】
本実施の形態では、コンタクトガラス１４の一端側にコンタクトガラス１４の内側に向かって略円弧状に凹んだ面取り部１４ｃを形成したので、面取り部１４ｃを通過した光が矢印で示すように放射状に広がり、白基準板５２の端部側（図４の範囲Ｂ）を読取ったときに光量が増大してしまうのを防止して、良好なシェーディング補正を行うことができ、画像読取装置１１の大型化および製造コストが増大するのを防止しつつ、原稿を良好に読取ることができる。
【００６６】
また、本実施の形態では、黒色マイラー等の遮蔽手段が不要になるので、部品点数を低減して複写機１０の製造コストを低減することができるとともに、白基準板５２の端部側の光量が低下してしまうのを防止することができる。
【００６７】
図６は本発明に係る画像読取装置および画像形成装置の第３の実施の形態を示す図であり、第１の実施の形態と同様の構成には同一番号を付して説明を省略する。なお、本実施の形態では、コンタクトガラスの面取り部の形状が第１の実施の形態と異なるのみでその他の構成は同一である。
図６において、コンタクトガラス１４の端部には面取り部１４ｄが形成されており、この面取り部１４ｄはコンタクトガラス１４の外側に向かって略円弧状に突出している。
【００６８】
この面取り部１４ｄは、コンタクトガラス１４の一端部および白基準板５２のコンタクトガラス１４側端部との距離をＳ、コンタクトガラス１４の板厚をｔとしたときに、その曲率中心（コンタクトガラス１４の端部からの距離ｘ，コンタクトガラス１４の下面からの距離ｙ）が（ｘ，ｙ）＜（Ｓ／２，ｔ／２）の関係になるように形成されている。
【００６９】
本実施の形態では、面取り部１４ｄを通過する反射鏡１６からの光が矢印で示すように曲率中心（ｘ，ｙ）に集光し、その後は逆に拡散方向に行く。そして、面取り部１４ｃの曲率中心（ｘ，ｙ）が（ｘ，ｙ）＜（Ｓ／２，ｔ／２）の関係になっているので、図６に示すように、白基準板５２付近では集光せずに拡散させることができ、白基準板５２の端部側（図４の範囲Ｂ）を読取ったときに光量が増大してしまうのを防止して、良好なシェーディング補正を行うことができ、画像読取装置１１の大型化および製造コストが増大するのを防止しつつ、原稿を良好に読取ることができる。
【００７０】
また、本実施の形態では、黒色マイラー等の遮蔽手段が不要になるので、部品点数を低減して複写機１０の製造コストを低減することができるとともに、白基準板５２の端部側の光量が低下してしまうのを防止することができる。
【産業上の利用可能性】
【００７１】
以上のように、本発明に係る画像読取装置および画像形成装置は、大型化および製造コストが増大するのを防止しつつ、最適なシェーディング補正を行うことができるようにして、原稿を良好に読取ることができるという効果を有し、複写機、ファクシミリ装置、スキャナ装置等のコンタクトガラス上に載置された原稿を移動光学系により読取る画像読取装置およびその画像読取装置を搭載した画像形成装置等として有用である。
【図面の簡単な説明】
【００７２】
【図１】本発明に係る画像読取装置および画像形成装置の第１の実施の形態を示す図であり、画像形成装置としての複写機の概略構成図である。
【図２】第１の実施の形態の画像読取装置の概略構成図である。
【図３】（ａ）は第１の実施の形態のコンタクトガラスの斜視図、（ｂ）は同図（ａ）の矢視断面Ａ−Ａ図である。
【図４】第１の実施の形態の白基準板上におけるＣＣＤセンサの出力分布を示す図である。
【図５】本発明に係る画像読取装置および画像形成装置の第２の実施の形態を示す図であり、コンタクトガラスおよび白基準板を示す図である。
【図６】本発明に係る画像読取装置および画像形成装置の第３の実施の形態を示す図であり、コンタクトガラスおよび白基準板を示す図である。
【図７】従来の画像読取装置の要部の概略構成図である。
【図８】コンタクトガラスの面取り部を通して白基準板に光を照射する状態を示す図である。
【図９】コンタクトガラスの面取り部以外の部分を通して白基準板に光を照射する状態を示す図である。
【図１０】コンタクトガラスの面取り部を通して白基準板に光を照射した場合と面取り部以外の部分を通して白基準板に光を照射した場合とにおいて白基準板に照射される光量の分布を示す図である。
【図１１】従来の白基準板上におけるＣＣＤセンサの出力分布を示す図である。
【符号の説明】
【００７３】
１０  複写機（画像形成装置）
１１  画像読取装置
１４  コンタクトガラス
１４ａ、１４ｃ、１４ｄ  面取り部
１５  照明ランプ（光源）
１６  反射鏡（光源）
２２  ＣＣＤセンサ（撮像手段）
２５  感光体ドラム（画像形成手段）
２６  帯電装置（画像形成手段）
２７  レーザビーム走査装置（画像形成手段）
２８  現像装置（画像形成手段）
３０  転写装置（画像形成手段）
３８  定着装置（画像形成手段）
５２  白基準板
６１  第１のキャリッジ（保持手段）
６２  第２のキャリッジ（保持手段）
７１  黒色マイラー（遮蔽手段）
【図１】
2006203621.tif 000003
【図２】
2006203621.tif 000004
【図３】
2006203621.tif 000005
【図４】
2006203621.tif 000006
【図５】
2006203621.tif 000007
【図６】
2006203621.tif 000008
【図７】
2006203621.tif 000009
【図８】
2006203621.tif 000010
【図９】
2006203621.tif 000011
【図１０】
2006203621.tif 000012
【図１１】
2006203621.tif 000013